(57)【要約】      （修正有）【課題】使用機材が単一化されて、維持管理負担を軽減し、暖気の流出を最小限に止めた効率の良いこたつ機能を備えた多目的テーブルを提供する。【解決手段】テーブルの卓板下面と桁４の内側面に密着して固着されている吊受金具と、吊受金具によって吊り下げられる遮熱布団吊下げ具であって、吊受金具に装着する遮熱布団吊下げ具と、遮熱布団吊下げ具の上端部の吊元補強布帯溜りにおいて密着状態にして取り付けられている遮熱布団であって、遮熱布団吊下げ具を吊受金具に装着することで、多目的テーブルの卓板２と遮熱布団吊り下げ具および床面と共に外部と遮断された卓板下部空間を形成する遮熱布団とを有することを特徴とする多目的テーブル。【選択図】図１
2017200586.tif 000002
【特許請求の範囲】
【請求項１】
テーブルの卓板と、
前記テーブルの卓板の下面に密着して固着されている吊受金具と、
前記吊受金具によって吊り下げられる布団吊下げ具であって、前記吊受金具に装着する布団吊下げ具と、
前記遮熱布団吊下げ具の上端部を密着状態にして取り付けられている遮熱布団であって、前記遮熱布団吊下げ具を前記吊受金具に装着すると、前記テーブルの卓板、吊受金具、前記遮熱布団吊り下げ具および床面と共に外部と遮断されたテーブル下部空間を形成する前記遮熱布団とを有することを特徴とする多目的テーブル。
【請求項２】
前記遮熱布団は、席面前遮熱布団上辺部に帯状の吊元補強布を備えた矩形状の前記席面前遮熱布団と、前記席面前遮熱布団の左右両側辺部に連結された遮熱布を備えた、遮熱布団分割体を隣接する複数の同一の遮熱布団分割体を環状に連結して形成されていることを特徴とする請求項１に記載の多目的テーブル。
【請求項３】
前記矩形状の席面前布団に接続した可動吊具間で、前記席面前遮熱布団が長手方向に伸縮機能を備えて形成されており、
遮熱布団吊受金具の端部に設けられた固定吊具に対しては前記席面前遮熱布団の表面の長さを調整して取り付けることを、特徴とする多目的テーブル。
【請求項４】
前記遮熱布に於いて、裾部が略円弧形状の裾縁に錘を設けた形状に形成されている
ことを特徴とする請求項２から請求項４のいずれか１項に記載の多目的テーブル。
【請求項５】
前記多目的テーブルの下部空間内に発熱器を設置する
ことを特徴とする請求項１から請求項４のいずれか１項に記載の多目的テーブル。
【発明の詳細な説明】
【技術分野】
【０００１】  本発明は多目的テーブルに係り、前記テーブルの卓板の下面に密着して固着されている吊受金具吊に装着する布団吊下げ具と、前記布団吊下げ具の上端部を密着状態にして取り付けられている遮熱布団であって、前記布団吊下げ具を前記吊受け金具に装着すると、前記テーブルの卓板、前記布団吊り下げ具および床面と共に外部と遮断されたテーブル下部空間を形成するのに好適な多目的テーブルに関する。
【背景技術】
【０００２】  日本国民に親しまれてきた伝統ある和式コタツの構成は櫓の上に一枚の掛け布団を被せ、その上に天板を置く形成となっているが、櫓の上に一枚の掛け布団を被せる布団形成はコタツの大型化には、維持管理にユーザー側に大きな負担が掛ると言う大きな課題が存在している。
【先行技術文献】
【特殊文献】
【０００３】
【特許文献１】特開２００７−１９００４０号  公報
【特許文献２】特開２０１４−１４４０１９号  公報
【発明の概要】
【発明が解決しようとする課題】
【０００４】  しかしながら特許文献１では、テーブルの脚部間３面に短冊切にした遮蔽布を施し、テーブル短手辺外部に配した温風暖房機から天板下部空間に向かって連続的に温風を吹き込み、卓板下部空間部に充満させた暖気を押し出し部屋全体をも暖める構成は、テーブル下部空間が開放的でテーブル内部の機密性を求める暖気留保機能が全く発揮されない。又暖気が充満してテーブル下部から押し出され部屋全体を暖めるには長時間の連続運転が必要となると共に部屋の規模及び断熱構造によって温風暖房機の熱源供給量が増大となり多量の電力消費となる課題がある。【０００５】特許文献２では、従来の掛け布団形成を抜本的に改良した吊構造布団形成を採用して、テーブルの卓板の下面中央部に発熱器を備え、テーブルの卓板下面に備わった脚と脚を連結する桁の内側近傍にレールを接合し、前記レールから床に達する遮温スカートで前記テーブル下部空間を取り囲む形式で吊巡らし、当該室内の雰囲気から隔離された前記テーブル下部空間を貯熱する形式のテーブルが記載されているが、テーブルの規模に因るが、卓板下面に接合したレールに遮温スカートを接続する過程で、吊金具の全てをレールに吊るす作業はかなりの労力負担と時間が掛かる課題がある。【０００６】  前記テーブル卓板と遮温スカートの接続部に於けるエアタイトに関して、遮温スカートの裾幅確保する２連襞付遮温スカート天端部と卓板下面、及び前記２連襞付遮温スカート上部近傍とレール側辺部に機密性がなく、貯熱する構成にならないことが課題となる。【０００７】    本発明は、上記各特許文献の課題点に鑑みてなされたものであり、卓板の下面に昇降機具を設け、布団吊受具に接続した遮熱布団を簡単に昇降する事が出来ると共に外部と遮断されたテーブル下部空間を形成することが出来る多目的テーブルを提供することを目的とする。
【発明が解決するための手段】
【０００８】  本発明は、テーブルの卓板と、当該卓板の下に密着して固着されている吊受金具に布団吊り下げ具であって前記吊下げ具上端部を密着状態にして取り付けられている遮熱布団であって、前記布団吊下げ具を装着すると、前記テーブル卓板、前記吊下げ具及び布団と床面と共に外部と遮断されたテーブル下部空間を形成する遮熱布団とを有することで、有効に貯熱することが出来る多目的テーブルとすることである。
【発明の効果】
【０００９】  本発明によれば、前記多目的テーブルの卓板下面に密着されている吊受具にあって床面迄吊り下げられる吊り下げ具で、前記多目的テーブルの下部空間に遮熱布団分割体を連結した遮熱布団と共に前記多目的テーブルの下部空間を取り囲むように吊巡らし、室内の雰囲気から隔離された前記多目的テーブルの下部空間を有効に貯熱することができる。
【００１０】  本発明の暖房機能を備えた多目的テーブルは、形状及び規模は世情一般家庭用を対象にしたもので、吊受具、吊り下げ具、遮熱布団、発熱器、多目的テーブルの五つの部品で形成されるものであり、この内発熱器と多目的テーブルを除く各部品は前記多目的テーブルの規模、形状に抵触することなく、共通して多目的テーブルに対応が出来る形成としている。
【００１１】  前記遮熱布団６は、複数の同一の遮熱布団分割体を環状に連結して形成されており、従来の掛け布団形状に比較して前記遮熱布団は多目的テーブルの規模に関わりなく、本発明の吊布団形成は遮熱布団分割体にして大幅に小形化した単一部品であり、使用資材減少に加えて遮熱布団の維持管理負担が大幅に軽減されるという効果を発揮する。
【図面の簡単な説明】
【００１２】
【図１】本発明の多目的テーブルの第１実施形態を示す斜視図
【図２】図１に示す多目的テーブルの卓板の底面図
【図３】遮熱布団の分解平面図
【図４】図２中のＡ―Ａ部断面図
【図５】図２中のＢ―Ｂ部断面図
【図６】図２中のイ―イ部平面図
【図７】図２中のイ―イ部断面図
【図８】図２中のロ―ロ部平面図
【図９】図２中のロ―ロ部断面図
【図１０】図２中のハ―ハ部平面図
【図１１】図２中のＣ―Ｃ部断面図
【図１２】遮熱布付クッションと椅子を示す斜視図
【図１３】遮熱布付クッションの展開平面図
【図１４】本発明の多目的テーブルの第２実施形態を示す斜視図
【図１５】図１４に示す多目的テーブルの卓板の底面図
【図１６】遮熱布団の分解平面図
【発明を実施するための形態】
【００１３】  本発明の多目的テーブルの第１実施形態を示す図１から図１６に基具体的に説明をする。
【００１４】  図１及び図２に示すように、本実施形態の多目的テーブル１は卓板２の卓板下面２ａの脚５と脚５を結ぶ桁４内側の前記卓板下面２ａに密着接合した吊受金具７に伸縮機能を備えた布団吊り下げ具８に接続した遮熱布団１０を差込装着して卓板下面２ａから床面６まで吊り下げ、前記多目的テーブル１の卓板下部空間３を取り囲む形態で吊巡らし、当該室内の雰囲気から遮断して隔離された卓板下部空間３を、有効に貯熱するように形成されている。
【００１５】  図３に示すように、遮熱布団１０は、複数（本実施形態に於いては６個）の遮熱布団分割体１４を環状に連結して形成されている。各遮熱布団分割体１４は、矩形状の席面前布団１０ａの左右両側辺部に略扇形状の遮熱布１１を縫合された形態で遮熱布団分割体１４が形成されている。各遮熱布１１は、他方の径方向端辺１２を縫合によって席面前遮熱布団１０ａに連結され、他の遮熱布団分割体１４の遮熱布１１の径方向端辺１２と遮熱布団分割体接続具１４ａを以って連結される。本実施形態に於いては卓板２が長方形に形成されているので、遮熱布団１０は６個の同一の遮熱布団分割体１４を環状に連結して、図３に示すように多目的テーブル１の規模に適合するように形成されている。尚、前記多目的テーブル１の形状は、洋風、和風、及び櫓炬燵等に限定されるものではなく、必要に応じて採用される。
【００１６】  図４、図５に示すように、多目的テーブル１の卓板下面２ａの中央部に発熱器１５を備え、脚５と脚５を連結する桁４の内側に密着接合した吊受金具１に伸縮機能を備えた布団吊り下げ具８に接続した遮熱布団１０を差込装着して卓板下面２ａから床面６まで吊り下げて、前記多目的テーブル１の卓板下部空間３を取り囲む形態で吊巡らし、当該室内の雰囲気から遮断して隔離された卓板下部空間３を有効に貯熱するように形成されている。
【００１７】  矩形状の多目的テーブル１の卓板下面２ａの隅部に脚５を設け、脚５と脚５を連結する桁４の内側側面と、卓板下面２ａに密着させるように接合した吊受具１を取り付けている。図２に示すように、布団吊下げ具８は、レールＧ３ｂからレールＳ３ｃがスライドして伸縮自在に対応できるように形成されており、多目的テーブル１の卓板２の大きさに合わせて設置できるように形成されている。具体的には、図１１に示す鉛直断面形状が下部辺に一部開口部のある矩形状の布団吊下げ具８のレール８ａは外側がレールＧ３ｂであり、その内側に一回り小さい断面形状を有するレールＳ８ｃは伸縮が可能となるように形成されている。前記レール８ａに内蔵されたランナー３ｅがスライドして図２、図３に示すとおり、吊受金具７と布団吊下げ具３及び遮熱布団分割体１４は各々単一形成機材で構成されており、これらの機材はそれぞれ図２、図３に示す位置に設けて、これらの機材に６個の同一の遮熱布団分割体１４を縫合、及び遮熱布団分割体接続具１４ａを以って環状に連結させて取り付けることによって多目的テーブル１の規模に適合するように形成されている。
【００１８】  図６〜図９及び図１０，図１１に示すように、各席面前遮熱布団１０ａの上辺部には遮熱布団１０吊元補強布帯１０ｂが縫製固着されている。この吊元補強布１０ｂには固定金具８ｇ、可動金具８ｈに沿って所定間隔に空けた鳩目金具１０ｄが固着されている。吊受金具７は、図９に示すように、鉛直断面が多目的テーブル１の内側に向かって横向きに開口された略コ文字形に形成されており、開口部のレール８ａ長手方向に延びた遮熱布団１０に接続した遮熱布団吊り下げ具８を挿入して固着する。前記遮熱布団吊り下げ具８には外側にレールＧ３ａその内側に一回り小さい断面形状を有するレールＳ８ｃに内蔵したランナー８ｅに接続した吊フック８ｄの前記遮熱布団吊り下げ具８のレール８ａによって複数の可動吊具８ｈがスライド移動出来る形態に装着されている。席面前遮熱布団１０ａ上端辺部に縫合された吊元補強布帯１０ｂに装着されている鳩目金具１０ｄを各可動吊具８ｈに接続する。更に、吊元補強布帯１０ｂの上端辺部が遮熱布団吊下げ具のレール８ａに内蔵された吊元補強布帯溜り１０ｃに密着挿入して、多目的テーブル１の卓板下部空間３の暖気と外気を遮断する形態とした。このようにして矩形状の前記席面前遮熱布団１０ａは接続した可動吊具８ｈを以って遮熱布団吊り下げ具８のレール８ａに沿って移動させることにより伸縮機能を備えた形状の席面前布団１０ａが形成されている。更に図２、図６〜図９に記載のとおり、遮熱布団吊下げ具８に内蔵された吊元補強布帯溜り１０ｃと席面前遮熱布団１０ａの伸縮機能を備えた形態の、前記レール８ａに複数個の前記可動吊具８ｈを配置、各前記可動吊具８ｈとの間隔距離が一定の距離にするために前記席面前遮熱布団１０ａに撓みを取る形態にして、前記席面前布団１０ａの表面距離を調整し、伸縮機能を兼ね備えた遮熱布団１０が形成されている。
【００１９】  図１２、図１３に示す、キャスター付椅子１７に座席下部の前面及び両側面が床面６に達する遮熱布１１が前記椅子１７下部空間を取り囲むように縫製した座席クッション１８を被せ、前記多目的テーブル１と前記椅子１７の接触部に於いて、前記椅子１７の座席下部の前面及び両側面からの暖気の漏出を防止するように形成されている。
【００２０】  本発明の多目的テーブル１の第２実施形態を図１５、図１６に基本的に説明をする。
【００２１】  図１及び図２に示すように、本実施形態の正方形多目的テーブルは卓板下面２ａの脚５と脚５を結ぶ桁４内側の前記卓板下面３に密着接合した吊受金具７に伸縮機能を備えたレール８ａの遮熱布団吊下げ具８に接続した遮熱布団１０を卓板下面３から床面６に達する遮熱布団を前記吊受金具７に、差込装着して吊り下げ前記多目的テーブルの卓板下部空間３を取り囲む形態で吊巡らし、当該室内の雰囲気から遮断して隔離された卓板下部空間３を、有効に貯熱するように形成されている。
【００２２】  図１６に示すように、遮熱布団１０は、複数（本実施形態に於いては４個）の遮熱布団分割体１４を環状に連結して形成されている。各遮熱布団分割体１４は，矩形状の席面前布団１０ａの左右両側辺部に略扇形状の遮熱布１１を縫合された形態で遮熱布団分割体１４が形成されている。各遮熱布１１は、他方の径方向端辺１２を縫合によって席面前布団１０ａに連結され、他の遮熱布団分割体１４の遮熱布１１の径方向端辺１２と遮熱布団分割体接続具１４ａを以って連結される。図１６に示すように本実施形態の多目的テーブルの形状及び規模に適合するように形成されている。尚、前記多目的テーブルの形状は、洋風、和風、及び櫓炬燵等に限定されるものではなく、必要に応じて採用される。
【符号の説明】
【００２３】１      多目的テーブル
２      卓板
２ａ    卓板下面
３      卓板下部空間
４      桁
５      脚
６      床面
７      吊受金具
７ａ    中央部吊受金具
７ｂ    吊受金具天板
７ｃ    吊受金具底板
７ｄ    吊受金具支持板
８      遮熱布団吊下げ具
８ａ    レール
８ｂ    レールＧ
８ｃ    レールＳ
８ｄ    吊フック
８ｅ    ランナー
８ｆ    クッションストッパー
８ｇ    固定吊具
８ｈ    可動吊具
９      コーナー部接続アングル金具
１０    遮熱布団
１０ａ  席面前遮熱布団
１０ｂ  吊元補強布帯
１０ｃ  吊元補強布帯溜り
１０ｄ  鳩目金具
１１    遮熱布
１２    径方向端辺
１３    遮熱布裾周り錘
１４    遮熱布団分割体
１４ａ  遮熱布団分割体接続具
１５    発熱器
１６    断熱材
１７    キャスター付き椅子
１８    座席クッション
【図１】
2017200586.tif 000003
【図２】
2017200586.tif 000004
【図３】
2017200586.tif 000005
【図４】
2017200586.tif 000006
【図５】
2017200586.tif 000007
【図６】
2017200586.tif 000008
【図７】
2017200586.tif 000009
【図８】
2017200586.tif 000010
【図９】
2017200586.tif 000011
2017200586.tif 000012
【図１２】
2017200586.tif 000013
【図１３】
2017200586.tif 000014
【図１４】
2017200586.tif 000015
【図１５】
2017200586.tif 000016
【図１６】
2017200586.tif 000017
【手続補正書】
【提出日】平成29年8月15日(2017.8.15)
【手続補正１】
【補正対象書類名】図面
【補正対象項目名】全図
【補正方法】変更
【補正の内容】
【図１】
2017200586.tif 000018
【図２】
2017200586.tif 000019
【図３】
2017200586.tif 000020
【図４】
2017200586.tif 000021
【図５】
2017200586.tif 000022
【図６】
2017200586.tif 000023
【図７】
2017200586.tif 000024
【図８】
2017200586.tif 000025
【図９】
2017200586.tif 000026
【図１０】
2017200586.tif 000027
【図１１】
2017200586.tif 000028
【図１２】
2017200586.tif 000029
【図１３】
2017200586.tif 000030
【図１４】
2017200586.tif 000031
【図１５】
2017200586.tif 000032
【図１６】
2017200586.tif 000033